(57)【要約】不織布などの軟質支持体に含浸した起泡性界面活性剤およびＣ５〜Ｃ１２アルキルジオールを有する使い捨ての実質的に乾燥したクレンジング用品を開示する。前記アルキルジオールは、主として、美しさを向上させると同時に起泡性を増すことができる加工助剤である。ヘキシレングリコールは、好ましいジオールである。アルキルジオールを全起泡性界面活性剤に対して約１：１から約１：８の重量比で用いると、最も良好な機能が達成される。【特許請求の範囲】
【請求項１】
実質的に乾燥したクレンジング製品であって、
（ｉ）水不溶性支持体；
（ｉｉ）起泡性界面活性剤；
（ｉｉｉ）Ｃ５〜Ｃ１２アルキルジオール
を含み、前記ジオールと全起泡性界面活性剤が１：１から１：８の重量比で存在する、該製品。
【請求項２】
アルキルジールがヘキシレングリコールである、請求項１に記載の製品。
【請求項３】
アルキルジオールの全界面活性剤に対する比率が、重量で、１：２から１：６の範囲である、請求項１または請求項２に記載の製品。
【請求項４】
アルキルジオールおよび水が、３：１から１：５の範囲である全起泡性界面活性剤に対する混合重量を有する、前記請求項のいずれかに記載の製品。
【請求項５】
起泡性界面活性剤が、水不溶性支持体上に付着させる全含浸組成物の０．５から４０重量％の量で存在する、前記請求項のいずれかに記載の製品。
【請求項６】
アルキルジオールの量が、含浸組成物の２から４０重量％の範囲である、請求項５に記載の製品。
【請求項７】
水不溶性支持体が、不織布、織布、水流交絡および空気交絡支持体から選択されるシートである、前記請求項のいずれかに記載の製品。
【発明の詳細な説明】
【０００１】
本発明は、低コストで、容易に製造でき、一度の使用で使い捨ての、実質的に乾燥したクレンジング用品に関する。
【０００２】
パーソナルクレンジングおよびコンディショニング製品は、伝統的に、棒石鹸、クリーム、ローション、およびジェルなどの多様な形態で市販されてきた。これらの配合物は、消費者に受け入れられるために多数の基準を満たそうとしてきた。これらの基準には、クレンジング効果、皮膚の感触、皮膚への優しさ、および泡のボリュームが挙げられる。理想的なパーソナルクレンザーは、皮膚または毛髪を穏やかに洗浄し、ほとんどまたは全く刺激を与えず、頻繁に使用した後でも、皮膚または髪を過度に乾燥させないものである。
【０００３】
上述の機能性の問題の多くを扱う、実質的に乾燥した使い捨てのパーソナルクレンジング製品を記載する一連の認可されたおよび継続中の特許出願が、プロクター・アンド・ギャンブル（Ｐｒｏｃｔｅｒ　＆　Ｇａｍｂｌｅ）によって公表されている。これらの製品は、界面活性剤、構造剤、スキンコンディショニング剤および他の性能の成分を織布または不織布上に付着させた、実質的に乾燥した製品である。
【０００４】
米国特許第５，９５１，９９１号（Ｗａｇｎｅｒら）は、起泡性界面活性剤とは別に布支持体上に含浸されるコンディショニングエマルジョンを支持体に供給することに焦点を当てている。米国特許第５，９８０，９３１号（Ｆｏｗｌｅｒら）は、油溶性コンディショニング剤の含浸を力説している。国際公開公報第９９／５５３０３号（Ａｌｂａｃａｒｙｓら）には、クレンジング組成物とともに配合されるスキンケア活性物質が記載されている。
【０００５】
これらの製品についての製造方法は、米国特許第５，９５２，０４３号および米国特許第５，８６３，６６３号（両方ともＭａｃｋｅｙらに対して認可されたもの）に報告されている。これらの特許は、拭き取り用品支持体上に高融点の蝋質材料を付着させた連続脂質相の使用を教示している。この材料は、容易に皮膚コンディショニング分散相を放出するように、（例えば、皮膚の拭き取り中の）低い剪断接触によって簡単に破壊され得るように脆性に規格されているが、それにもかかわらず、この材料には、過酷な加工の間、その分散相の早期放出を回避する程度の強靭さが求められる。
【０００６】
妥協によって、連続脂質分散媒／極性分散相が、加工および取扱いに対する耐性が十分でなく、皮膚へのコンディショニング剤の充分な放出を可能ならしめる洗浄条件のもとでの放出が可能でない技術に伴う問題がある。より良好な拭き取り用品含浸および皮膚コンディショニング系が探索されている。
【０００７】
従って、改善された含浸系を用いて拭き取り用品に付着させた起泡性界面活性剤を特徴とする、使い捨ての実質的に乾燥したクレンジング製品を提供できることが、本発明の利点である。
【０００８】
本発明のもう一つの利点は、脆性および粘着性を伴わずに軟質拭き取り布に付着する、軟質拭き取り布を被覆するクレンジング組成物を有する、実質的に乾燥した使い捨てのクレンジング製品を提供できることである。
【０００９】
本発明のさらにもう一つの利点は、改善された製造性、より良好な美しさおよび起泡性の向上を可能ならしめる含浸系を含む、実質的に乾燥した使い捨てのクレンジング製品を提供できることである。
【００１０】
本発明のこれらおよび他の利点は、以下の要約および開示に照らして、より明らかになるだろう。
【００１１】
従って、本発明の第一の側面によると、
（ｉ）水不溶性支持体；
（ｉｉ）起泡性界面活性剤；
（ｉｉｉ）Ｃ５〜Ｃ１２アルキルジオール
を含み、前記ジオールと全起泡性界面活性剤が約１：１から約１：８の重量比で存在する、実質的に乾燥したクレンジング製品を提供する。
【００１２】
有利には、非常に少量の水分が含浸組成物中に存在しうる。好ましくは、アルキルジオールと水の混合重量は、起泡性界面活性剤に対して、約３：１から約１：５の重量比でありうる。
【００１３】
今般、Ｃ５〜Ｃ１２−アルキルジオールを用いて、拭き取り用品に起泡性界面活性剤を含浸させることができることを発見した。粘着性の問題を最小限にしつつ、起泡性を改善することができる。さらに、含浸用の担体として従来から用いられる水を最小にすることができるため、本方法の利点が得られる。被覆溶液の相は、ジオールを用いることによって安定性が向上する。さらに、ジオールと起泡性界面活性剤の間の重量比を調節することによって特性が改善されることがわかった。ジオールの全起泡性界面活性剤に対する重量比は、約１：１から約１：８、好ましくは約１：２から約１：６、最適には約１：１．２５から約１：４の範囲となる。
【００１４】
有利には、水分が、含浸組成物中に少量存在しうる。これらの量は、２０％を超えるべきではなく、約１から約１５重量％の範囲でありうる。ジオールと水は、全界面活性剤に対して、約３：１から約１：５、好ましくは約２：１から約１：２、最適には約１：１の重量比で存在しうる。重量比が１：５より低いと、水を添加しないでは粘度を低下させずに製品を被覆することが難しくなり、その結果、高価な乾燥段階を余儀なくされる。さらに、このような低い比率では、触って拭き取る製品の審美的嫌悪感の原因となるペースト状になる可能性が高い。重量比が４：１より上のように相当高い場合は、乾燥感がなく、泡立ちも劣るであろう。
【００１５】
本発明に用いられるジオールは、５から１２個の炭素原子を有する。それらは、好ましくは、ヘキシレングリコール、オクチレングリコール、デシレンジオールおよびドデシレンジオール、ならびにそれらの組み合わせなどのアルキルジオールである。ヘキシレングリコールが最も好ましい。ジオールの量は、含浸組成物の約２重量％から約４０重量％、好ましくは約１０重量％から約２０重量％、最適には約１２重量％から約１６重量％の範囲でありうる。
【００１６】
本発明による組成物の第二の本質的な要素は、起泡性界面活性剤である。「起泡性界面活性剤」とは、水と混合し、機械的に攪拌した時、泡または泡立ちを生じる界面活性剤を意味する。好ましくは、これらの気泡界面活性剤はマイルドであるべきであり、このことは、それらが、充分なクレンジングまたは洗浄利点を提供するが、皮膚や毛髪を過剰に乾燥させず、さらに、上記の起泡性の基準に合致しなければならないことを意味する。
【００１７】
本発明の製品は、典型的には、含浸組成物の重量を基準にして、約０．５から約４０％、好ましくは約０．７５％から約２０％、さらに好ましくは約１％から約１０％の量で気泡界面活性剤を含む。
【００１８】
多種多様な起泡性界面活性剤が本発明に有用であり、それらには、アニオン性、非イオン性、カチオン性、両性、およびそれらの起泡性界面活性剤の混合物から成る群から選択されるものが挙げられる。
【００１９】
本発明に有用なアニオン性起泡性界面活性剤には、以下の種類を含む以下の非限定的な例がある：
（１）アルキル基が、直鎖または分枝鎖構造内に、９から１５個の炭素原子、好ましくは１１から１４個の炭素原子を含む、アルキルベンゼンスルホン酸塩。約１２個の炭素原子をアルキル鎖中に含む線状アルキルベンゼンスルホン酸塩が特に好ましい。
【００２０】
（２）８から２２個の炭素原子、好ましくは１２から１６個の炭素原子を有するアルコールを硫酸化することによって得られるアルキル流酸塩。この硫酸アルキルは、式ＲＯＳＯ３−Ｍ＋（式中、Ｒは、Ｃ８〜１２アルキル基であり、Ｍは、一価および／または二価のカチオンである）を有する。
【００２１】
（３）アルキル部分に、８から２２個の炭素原子、好ましくは１２から１６個の炭素原子を有するパラフィンスルホン酸塩。これらの界面活性剤は、ヘキスト・セラニーズ（Ｈｏｅｃｈｓｔ　Ｃｅｌａｎｅｓｅ）からのＨｏｓｔａｐｕｒ　ＳＡＳとして市場で入手することができる。
【００２２】
（４）８から１２個の炭素原子、好ましくは１２から１６個の炭素原子を有するオレフィンスルホン酸塩。Ｂｉｏｔｅｒｇｅ　ＡＳ　４０（登録商標）として入手することができるＣ１４〜Ｃ１６オレフィンスルホン酸ナトリウムが最も好ましい。
【００２３】
（５）３０モル未満、好ましくは１２モル未満のエチレンオキシドでエトキシ化された、８から２２個の炭素原子、好ましくは１２から１６個の炭素原子を有するアルコールから誘導されるアルキルエーテル硫酸塩。Ｓｔａｎｄｏｐｏｌ　ＥＳ−２（登録商標）として市場で入手することができる、２モルの平均エトキシ化によって生成されたラルリルエーテル硫酸ナトリウムが最も好ましい。
【００２４】
（６）アルキル部分に、８から２２個の炭素原子、好ましくは１２から１６個の炭素原子を有するアルキルグリセリルエーテルスルホン酸塩。
【００２５】
（７）式：Ｒ１ＣＨ（ＳＯ３−Ｍ＋）ＣＯ２Ｒ２（式中、Ｒ１は、約Ｃ８〜Ｃ１８、好ましくはＣ１２〜Ｃ１６の直鎖または分枝鎖アルキルであり、ｄＲ２は、約Ｃ１〜Ｃ６、好ましくは主としてＣ１の直鎖または分枝鎖アルキルであり、Ｍ＋は、一価または二価のカチオンを表す）の脂肪酸エステルスルホン酸塩。
【００２６】
（８）６から１８個、好ましくは８から１６個の炭素原子を有する硫酸第二アルコール。
【００２７】
（９）１０から２２個の炭素原子を有する脂肪酸アシルイセチオン酸塩。ココイルイセチオン酸ナトリウムが好ましい。
【００２８】
（１０）アルキル基が、各々、炭素原子３から２０個の範囲である、スルホコハク酸ジアルキル。
【００２９】
（１１）式　ＲＣＯＮ（ＣＨ３）ＣＨ２ＣＨ２ＣＯ２Ｍ（式中、Ｒは、炭素原子約１０から約２０個のアルキルまたはアルケニルであり、Ｍは、アンモニウム、ナトリウム、カリウムおよびトリアルカノイルアンモニウムなどの水溶性カチオンである）に対応するアルカノイルサルコシン酸塩。ラウロイルサルコシン酸ナトリウムが最も好ましい。
【００３０】
（１２）アルキル基が、炭素原子８から１２個の範囲である、アルキル乳酸塩。パターソンケミカル社（Ｐａｔｔｅｒｓｏｎ　Ｃｈｅｍｉｃａｌ　Ｃｏｍｐａｎｙ）から入手することができるＰａｔｉｏｎｉｃ　１３８　Ｃ（登録商標）として販売されているラウロイル乳酸ナトリウムが最も好ましい。
【００３１】
（１３）８から１６個の炭素原子を有するタウリン塩。ココイルメチルタウリン塩が好ましい。
【００３２】
本発明に適する非イオン性起泡性界面活性剤には、Ｃ１０〜Ｃ２０脂肪アルコールまたは疎水性物質１モルあたり２から１００モルのエチレンオキシドまたはプロピレンオキシドと縮合した酸疎水性物質；２から２０モルのアルキレンオキシドと縮合したＣ２〜Ｃ１０アルキルフェノール；ジステアリン酸エチレングリコールなどのエチレングリコールのモノ−およびジ−脂肪酸エステル；脂肪酸モノグリセリド；ソルビタンモノ−およびジ−Ｃ８〜Ｃ２０脂肪酸；およびＰｏｌｙｓｏｒｂａｔｅ　８０およびＴｗｅｅｎ　８０（登録商標）として入手することができるポリオキシエチレンソルビタン；ならびに上記界面活性剤いずれかの組み合わせが挙げられる。
【００３３】
他の有用な非イオン性界面活性剤には、アルキルポリグルコシド、糖類脂肪アミド（例えば、メチルグルコナミド）、ならびに長鎖第三アミンオキシドが挙げられる。後者のカテゴリーの例は、ジメチルドデシルアミンオキシド、オレイルジ（２−ヒドロキシエチル）アミンオキシド、ジメチルオクチルアミンオキシド、ジメチルデシルアミンオキシド、ジメチルテトラデシルアミンオキシド、ジ（２−ヒドロキシエチル）テトラデシルアミンオキシド、３−ジドデシルオキシ−２−ヒドロキシプロピルジ（３−ヒドロキシプロピル）アミンオキシド、およびジメチルヘキサデシルアミンオキシドである。
【００３４】
本発明に有用な両性起泡性界面活性剤には、脂肪族基が、直鎖であってもよいし、分枝鎖であってもよく、それらの基のうちの一つが、カルボキシ、スルホネート、スルフェート、ホスフェートまたはホスホネートなどのイオン化可能な水可溶化基である、好ましくは窒素がカチオンの状態の脂肪族第二および第三アミンが挙げられる。例となる物質は、コカミドプロピルベタイン、ココ両性アテート、ココ両性ジアセテート、ココ両性プロピオネート、ココ両性ジプロピオネート、コカミドプロポイルヒドロキシスルタイン、セチルジメチルベタイン、コカミドプロピルＰＧ−ジモニウムクロリドリン酸塩、ココジメチルカルボキシメチルベタイン、セチルジメチルベタインおよびそれらの組み合わせである。
【００３５】
本発明の必須要素は、水不溶性支持体のものである。「水不溶性」とは、支持体が、水に溶解しないか、または水に浸漬したとたんに容易にばらばらに壊れないことを意味する。多種多様な材料を支持体として用いることができる。以下の非限定的特性は、望ましい。
【００３６】
（ｉ）使用に充分な湿潤強度、
（ｉｉ）充分な摩損性、
（ｉｉｉ）充分なバルキー性および有孔性、
（ｉｖ）充分な厚さ、および
（ｖ）適切なサイズ
上の基準に合致した、適する不溶性支持体の非限定的な例には、不織支持体、織支持体、水流交絡支持体、空気交絡支持体などが挙げられる。好ましい実施形態として、不織支持体は、経済的であり、多様な材料で容易に利用することができる。不織とは、その線維が、織物に織られるのではなく、シート、特にティシューに成形される繊維を含むことを意味する。繊維は、ランダムであってもよいし（すなわち、ランダムに整列している）、カーディングしてもよい（すなわち、くしですいて、主に一方向に配向させる）。さらに、不織支持体は、ランダム繊維層とカーディング繊維層の結合から成ってもよい。
【００３７】
不織支持体は、天然および合成、両方の多様な材料を含みうる。天然とは、材料が、植物、動物、昆虫または副産物から得られることを意味する。合成とは、材料が、主として多様な合成材料から、または通常、一般の合成もしくは天然繊維材料の長さのあらゆる繊維を含む繊維ウェブである材料から、またはそれらの混合材料から得られる。
【００３８】
本発明に有用な天然材料の非限定的な例は、絹繊維、ケラチン繊維およびセルロース繊維である。ケラチン繊維の非限定的な例には、羊毛繊維、らくだ繊維などから成る群から選択されるものが挙げられる。セルロース繊維の非限定的な例には、羊毛パルプ繊維、綿繊維、麻繊維、ジュート繊維、亜麻繊維、およびそれらの混合物から成る群から選択されるものが挙げられる。羊毛パルプ繊維は好ましいが、通常は綿繊維（例えば、綿パッド）はすべて、避けられる。
【００３９】
本発明に有用な合成材料の非限定的な例には、アセテート繊維、アクリル繊維、セルロースエステル繊維、モダアクリル繊維、ポリアミド繊維、ポリエステル繊維、ポリオレフィン繊維、ポリビニルアルコール繊維、レーヨン繊維、およびそれらの混合物から成る群から選択されるものが挙げられる。これらの合成材料の一部の例には、Ａｃｒｉｌａｎ（登録商標）、Ｃｒｅｓｌａｎ（登録商標）、およびアクリロニトリル系繊維、Ｏｒｌｏｎ（登録商標）などのアクリル繊維；酢酸セルロース、Ａｒｎｅｌ（登録商標）、およびＡｃｅｌｅ（登録商標）などのセルロースエステル繊維；ナイロン（例えば、ナイロン６、ナイロン６６、ナイロン６１０など）などのポリアミド；Ｆｏｒｔｒｅｌ（登録商標）、Ｋｏｄｅｌ（登録商標）、およびポリエチレンテレフタレート繊維、Ｄａｃｒｏｎ（登録商標）などのポリエステル；ポリポロピレン、ポリエチレンなどのポリオレフィン；ポリ酢酸ビニル繊維およびそれらの混合物が挙げられる。
【００４０】
天然材料から製造される不織支持体は、最も一般的には、細かいワイヤスクリーンを用いて繊維の懸濁液から形成されるウェブまたはシートから成る。
【００４１】
本発明に有用な天然材料から製造される支持体は、多種多様な市場の供給源から入手することができる。本発明に有用な、市場で入手することができる適切な紙の層の非限定的な例には、Ａｉｒｔｅｘ（登録商標）、ウイスコンシン州、グリーンベイのジェームス・リバー社（Ｊａｍｅｓ　Ｒｉｖｅｒ　Ｃｏｒｐｏｒａｔｉｏｎ）から入手することができる、約８４．９ｇ／ｍ２（７１ｇｓｙ）の坪量を有する型押空気撚りセルロース層；およびＷａｌｋｉｓｏｆｔ（登録商標）、ノースカロライナ州、マウントホーリィのウォーキソフト・ユー・エス・エー（Ｗａｌｋｉｓｏｆｔ　Ｕ．Ｓ．Ａ．）から入手することができる、約８９．７ｇ／ｍ２（７５ｇｓｙ）の坪量を有する型押空気撚りセルロース層が挙げられる。
【００４２】
本発明に有用な、合成材料から製造される不織支持体も多種多様な市場の供給源から入手することができる。本発明に有用な、適する不織層材料の非限定的な例には、ＨＦＥ−４０−０４７、マサチューセッツ州、ウォルポールのヴェルテック社（Ｖｅｒｔｅｃ，Ｉｎｃ．）から入手することができる、レーヨン約５０％およびポリエステル５０％を含有し、５１．４ｇ／ｍ２（平方ヤードあたり４３グラム（４３ｇｓｙ））の坪量を有する有孔水流交絡材料；ＨＥＦ　１４０−１０２、マサチューセッツ州、ウォルポールのヴェルテック社から入手することができる、レーヨン約５０％およびポリエステル５０％を含有し、約６７．０ｇ／ｍ２（５６ｇｓｙ）の坪量を有する有孔水流交絡材料；Ｎｏｖｅｎｅｔ（登録商標）１４９−１９１、マサチューセッツ州、ウォルポールのヴェルテック社から入手することができる、レーヨン約６９％、ポリプロピレン約２５％、および綿約６％を含有し、約１１９．６ｇ／ｍ２（１００ｇｓｙ）の坪量を有する熱接着グリッド型押材料；ＨＥＦ　Ｎｕｂｔｅｘ（登録商標）、マサチューセッツ州、ウォルポールのヴェルテック社から入手することができる、ポリエステル約１００％を含有し、約８３．７ｇ／ｍ２（７０ｇｓｙ）の坪量を有する節玉付有孔水流交絡材料；Ｋｅｙｂａｃｋ（登録商標）９５１Ｖ、ニュージャージー州、ニューブランズウィックのチコピー社（Ｃｈｉｃｏｐｅｅ　Ｃｏｒｐｏｒａｔｉｏｎ）から入手することができる、レーヨン約７５％、アクリル繊維約２５％を含有し、約５１．４ｇ／ｍ２（４３ｇｓｙ）の坪量を有する乾燥成形有孔材料；Ｋｅｙｂａｋ（登録商標）１３６８、ニュージャージー州、ニューブランズウィックのチコピー社から入手することができる、レーヨン約７５％、ポリエステル約５％を含有し、約４６．６ｇ／ｍ２（３９ｇｓｙ）の坪量を有する有孔材料；Ｄｕｒａｌａｃｅ（登録商標）１２３６、ニュージャージー州、ニューブランズウィックのチコピー社から入手することができる、レーヨン約１００％を含有し、約４７．８ｇ／ｍ２（４０ｇｓｙ）から約１３７．５ｇ／ｍ２（１１５ｇｓｙ）の坪量を有する有孔水流交絡材料；Ｄｕｒａｌａｃｅ（登録商標）５９０４、ニュージャージー州、ニューブランズウィックのチコピー社から入手することができる、ポリエステル約１００％を含有し、約４７．８ｇ／ｍ２（４０ｇｓｙ）から約１３７．５ｇ／ｍ２（１１５ｇｓｙ）の坪量を有する有孔水流交絡材料；Ｓａｎｔａｒｏ（登録商標）８８６８、デュポン・ケミカル社（Ｄｕｐｏｎｔ　Ｃｈｅｍｉｃａｌ　Ｃｏｒｐ．）から入手することができる、セルロース約５０％およびポリエステル約５０％を含有し、約７１．１ｇ／ｍ２（６０ｇｓｙ）の坪量を有する水流交絡材料が挙げられる。
【００４３】
不織支持体、特に、レーヨン／ポリエステルのブレンドで、１０：９０から９０：１０、好ましくは２０：８０から８０：２０、最適には４０：６０から６０：４０の重量比のものは、本発明の目的のために支持体として最も好ましい。最も有用な支持体は、レーヨン／ポリエステル　７０：３０の不織拭き取り用品である。
【００４４】
概して１から１００回分、好ましくは５から５０回分の拭き取り用品を小出しポーチまたは容器、好ましくは不透湿性ポーチまたは容器内に保管することができる。保管中および小出しの間、ポーチまたは容器は、好ましくは再封することができる。一回分の拭き取り用品を収容するポーチを用いることもできる。
【００４５】
本発明の水不溶性支持体は、各々が異なるきめおよび摩損性を有する二つ以上の層を含みうる。様々なきめは、様々な組み合わせの材料を用いることから、または剥落および柔軟剤のためのより摩損性の側面、優しいクレンジングのための吸収側面を有する支持体を使用することで生じうる。さらに、支持体の個別の層が異なる色を有するように製造でき、その結果、さらに表面を使い分けることに有益である。
【００４６】
含浸組成物の支持体に対する量は、重量で、約２０：１から１：２０、好ましくは１０：１から約１：１０、最適には約２：１から約１：２の範囲でありうる。
【００４７】
本発明の含浸組成物は、揮発性および不揮発性品種のシリコーンを含んでもよい。典型的な揮発性シリコーンは、Ｄｏｗ　Ｃｏｒｎｉｎｇ　２４４、２４５、３４４および３４５として市場で入手することができるシクロメチコーンである。線状揮発性ジメチコーンも適する。不揮発性シリコーンには、２センチストークより大きい粘度のポリジメチルシロキサン、およびＤｏｗ　Ｃｏｒｎｉｎｇ　１９３が市場の供給源であるジメチコーンコポリオールとしても知られているシリコーンコポリオールが挙げられる。シリコーンの量は、含浸組成物の約０．０１から約２０重量％、好ましくは約０．５から約３重量％の範囲でありうる。
【００４８】
モノマーおよびポリマータイプのカチオン性コンディショニング剤も本発明の目的に有用である。ポリマータイプの例には、カチオン性セルロース誘導体、カチオン性デンプン、ジアリル第四アンモニウム塩とアシルアミドのコポリマー、四級化ビニルピロリドンビニルイミダゾールポリマーポリグリコールアミン縮合体、四級化コラーゲンポリペプチド、ポリエチレンイミン、カチオン化シリコンポリマー（例えば、アモジメチコーン）、商標Ｄｏｗ　Ｃｏｒｎｉｎｇ　９２９（カチオン化エマルジョン）で、他の成分との混合物で提供されるカチオン性シリコンポリマー、アジピン酸とジメチルアミノヒドロキシプロピルジエチレントリアミンとのコポリマー、カチオン性キチン誘導体、カチオン化ガーゴム（例えば、セラニーズ社（Ｃｅｌａｎｅｓｅ　Ｃｏｍｐａｎｙ）が製造しているＪａｇｕａｒ　Ｃ−Ｂ−Ｓ、Ｊａｇｕａｒ　Ｃ−１７、Ｊａｇｕａｒ　Ｃ−１６など）、第四アンモニウム塩ポリマー（例えば、ローヌプーランク社（Ｒｈｏｎｅ　Ｐｏｕｌｅｎｃ　Ｃｏｍｐａｎｙ）のミラノール課（Ｍｉｒａｎｏｌ　Ｄｉｖｉｓｉｏｎ）が製造しているＭｉｒａｐｏｌ　Ａ−１５、Ｍｉｒａｐｏｌ　ＡＤ−１、Ｍｉｒａｐｏｌ　ＡＺ−１など）が挙げられる。ビーエーエスエフ社（ＢＡＳＦ　Ｃｏｒｐｏｒａｔｉｏｎ）が販売している、Ｌｉｖｉｑｕａｔ（登録商標）ＰＱ　１１として入手することができるポリクオータニウム−１１が最も好ましい。
【００４９】
モノマー系カチオン性コンディショニングの例は、一般式：
【００５０】
【化１】
2004501089.tif 000002
（式中、
Ｒ１は、１２から２２個の炭素原子を有するアルキル基、または１２から２２個の炭素原子を有する芳香族、アリールもしくはアルカリール基から選択され；　Ｒ２、Ｒ３、およびＲ４は、独自に、水素、１から２２個の炭素原子を有するアルキル基、または１２から２２個の炭素原子を有する芳香族、アリールもしくはアルカリール基から選択され；および
Ｘ−は、塩化物、臭化物、ヨー化物、アセテート、ホスフェート、ニトレート、スルフェート、メチルスルフェート、エチルスルフェート、トシレート、ラクチレート、シトレート、グリコレート、およびそれらの混合物から選択されるアニオンである）の塩である。従って、前記アルキル基は、エーテル結合、またはヒドロキシもしくはアミノ置換基も含むことができる（例えば、前記アルキル基は、ポリエチレングリコールおよびポリプロピレングリコール部分を含むことができる）。好ましくは、前記アニオンは、ホスフェートであり、ビーエーエスエフ社からＬｕｖｉｑｕａｔ（登録商標）Ｍｏｎｏ　ＣＰとして入手することができるヒドロキシエチルセチルジモニウムホスフェートが特に好ましい。
【００５１】
同様に、アミノシリコーン四級化物を用いることができる。シルテック社（Ｓｉｌｔｅｃｈ　Ｉｎｃ．）から入手することができる、ＣＴＦＡによってシリコーンクオータニウム８と呼ばれるＳｉｌｑｕａｔ　ＡＤが最も好ましい。
【００５２】
各カチオン性物質の量は、含浸組成物の０．０６から５重量％、好ましくは０．１から３重量％、最適には０．３から２．５重量％の範囲でありうる。
【００５３】
本発明の一度の使用で使い捨てのパーソナルケアクレンジング製品は、起泡性界面活性剤およびアルキルジオールを水不溶性支持体に別々にまたは同時に添加もしくは含浸させることによって製造され、得られる製品は、実質的に乾燥している。「別々に」とは、界面活性剤とアルキルジオールを、最初に混合せずに、順不同で、順次添加するとができることを意味する。「同時に」とは、界面活性剤とアルキルジオールを、最初に混合して、またはせずに、同時に添加することができることを意味する。
【００５４】
界面活性剤、アルキルジオールおよび一切の任意成分は、当業者に知られているあらゆる手段によって、水不溶性支持体に添加または含浸させることができる。例えば、噴霧、レーザープリント、スプラッシング、ディッピング、ソーキング、またはコーティングによって添加することができる。
【００５５】
水分または湿分が、製造プロセルに用いられるまたは存在する時には、得られる処理支持体は、実質的に水を含まないように乾燥させる。処理支持体は、当業者に知られているあらゆる手段によって乾燥させることができる。知られている乾燥手段の非限定的な例には、熱対流炉、放射熱源、電子オーブン、強制通風炉、およびホットローラーまたはカムの使用が挙げられる。乾燥には、周囲の環境に存在するもの以外の熱エネルギーを加えない空気乾燥も含まれる。多様な乾燥法を組み合わせて用いることもできる。
【００５６】
操作および比較例におけるものを除き、または別様に明確に指示しない場合は、本明細書において材料の量を示すすべての数字は、「約」という言葉で修飾されるものとしてご理解いただきたい。
【００５７】
以下の実施例によって、本発明の実施形態は、より完全に説明されるであろう。本明細書中および添付のクレームにおいて言及されるすべての部、パーセンテージおよび割合は、別様に説明されない限り重量によるものである。
【００５８】
実施例１
一連の比較実験を行って、本発明の拭き取り用品支持体に含浸させるクレンジング組成物を構成する多様なアルキルポリオールの効果を評価した。表Ｉに比較サンプルＡからＧについての成分および濃度を記載する。
【００５９】
【表１】
2004501089.tif 000003
【００６０】
これらの配合物は、以下のようにして調製した。グリコール、グリセリン、ソルビトールまたはラウレス−４を適するように混合容器に充填した。中程度から激しい攪拌を適用した。その後、Ｍｅｒｑｕａｔ　２２００（登録商標）を、充分に分散するまで、攪拌しながらそのバッチに含めた。次に、Ｔｅｇｏｂｅｔａｉｎ　ＣＫＤ（登録商標）を、この材料のすべての凝集物が消えるまで、中程度に／激しく攪拌しながら充填した。継続的な攪拌のもとで、デシルポリグルコシドを添加した。８０℃に達するようにバッチに熱をかけた。次に、Ｈａｍｐｏｓｙｌ　Ｌ−９５（登録商標）、Ｐａｔｉｏｎｉｃ　１３８Ｃ（登録商標）およびＭｉｇｌｙｏｌ　８１２（登録商標）を順次添加した。温度を６０℃に低下させて、Ｓｉｌｑｕａｔ　ＡＤ（登録商標）の添加を可能ならしめた。４５℃に冷却ししだい、芳香剤およびＧｌｙｄａｎｔ　Ｐｌｕｓ（登録商標）液をバッチに充填した。
【００６１】
【表２】
2004501089.tif 000004
表ＩＩから明白なことは、ヘキシレングリコールは支持体の布に均等に分散しうる易流動性の液体を提供しうることであった。プロピレングリコールおよびブチレングリコールは、支持体被覆プロセスには容易には用いることができない濃厚なペーストを生じた。グリセリン、ソルビトールおよびラウレス−４をそれぞれ含有するサンプルＤ、ＥおよびＧは、塗布性組成物に配合することさえできなかった。構造化助剤としてメチルプロパンジオールを用いるサンプルＦは、支持体被覆プロセスには濃厚すぎた。ヘキシレングリコールに比べて、ブチレングリコールまたはプロピレングリコールなどの低分子量のグリコールは、構造化助剤としてはかなり劣ることが、意外にもわかった。同様に、それより高分子量の材料であるラウレス−４およびソルビトールなどは、構造化候補としては劣るものであった。
【００６２】
実施例２
ココイルイセチオン酸ナトリウムおよびコカミドプロピルベタインの代替界面活性剤系を用いたことを除き、実施例１で報告したものと同様に、一組の比較実験を行った。それらの配合物を表ＩＩＩのもとに概説する。
【００６３】
【表３】
2004501089.tif 000005
【００６４】
配合物は、適するように、グリコールまたはグリセリンのいずれかを反応容器に添加して、調製した。中程度／激しい攪拌を開始し、その後、Ｍａｒｑｕａｔ　２２００（登録商標）を、そして次にＴｅｇｏｂｅｔａｉｎ　ＣＫＤ（登録商標）を添加した。８０℃に達するように加熱した。Ｔａｕｒａｎｏｌ　Ｉ−７８（登録商標）を、そして次にＰｎｔｉｏｎｉｃ　１３８（登録商標）を攪拌下で反応容器に順次充填した。次に、配合物を６０℃に冷却し、その後、Ｓｉｌｑｕａｔ　ＡＤ（登録商標）を混合物に含めた。その後、組成物を４５℃に冷却して、Ｇｌｙｄａｎｔ　Ｐｌｕｓ（登録商標）液の添加できるようにした。
【００６５】
【表４】
2004501089.tif 000006
表ＩＶは、実施例１の結果と同様の結果を報告している。ヘキシレングリコールは、構造化剤として許容されることがわかった。グリセリンおよびブチレングリコールは、許容できない増粘のため、支持体の布に容易に塗付することができなかった。
【００６６】
実施例３
一組の配合物を調製して、ヘキシレングリコールと起泡性界面活性剤の重量比の影響を評価した。表Ｖは、これらの配合物の組成を概説する。
【００６７】
【表５】
2004501089.tif 000007
【００６８】
【表６】
2004501089.tif 000008
【００６９】
サンプルＡからＣは、実施例１について記載したものと同様の方法で調製した。これらの配合物を１５．２ｃｍ　Ｘ　２０．３ｃｍ（６インチ　Ｘ　８インチ）のレーヨン／ポリエステル不織布上に被覆し、その後、オーブン内で水分を除去した。表ＶＩにおいて報告したように、サンプルＡは、あまりにも粘稠で、配合を完全にすることさえできなかった。このサンプルにおいて、へキシレングリコールの界面活性剤に対する相対重量比は、１：１０であった。サンプルＢは、不織布上に０．４４グラムの界面活性剤を得るために、１．６３グラムの被覆を必要とした。この量を被覆した結果、オーブン内で乾燥した後でさえ、触ってみると湿潤感があった。サンプルＣの小さなペーパータオルに比べて泡立ちも幾分弱かった。サンプルＢにおけるヘキシレングリコールの界面活性剤に対する重量比は、２：１であった。
【００７０】
サンプルＣは、不織布上に０．４４グラムの界面活性剤を配置するために、０．９グラムを必要とした。加工した布は、触ってみると乾燥しており、泡立ちは、サンプルＢを被覆した小さなペーパータオルに比べて幾分強かった。サンプルＣにおけるヘキシレングリコールの全起泡性界面活性剤に対する重量比は、１：３であった。
【００７１】
上の記載および実施例は、本発明の選択された実施形態を説明するもとのである。それらに照らして、当業者は、変型および変更を考え付くことであろう。そうしたものすべてが、本発明の精神および範囲の内である。
【国際公開パンフレット】
2004501089.tif 000009
2004501089.tif 000010
2004501089.tif 000011
2004501089.tif 000012
2004501089.tif 000013
2004501089.tif 000014
2004501089.tif 000015
2004501089.tif 000016
2004501089.tif 000017
2004501089.tif 000018
2004501089.tif 000019
2004501089.tif 000020
2004501089.tif 000021
2004501089.tif 000022
2004501089.tif 000023
2004501089.tif 000024
2004501089.tif 000025
2004501089.tif 000026
2004501089.tif 000027
2004501089.tif 000028
2004501089.tif 000029
2004501089.tif 000030
2004501089.tif 000031
2004501089.tif 000032
2004501089.tif 000033
2004501089.tif 000034
2004501089.tif 000035
2004501089.tif 000036
【国際公開パンフレット（コレクトバージョン）】
2004501089.tif 000037
【手続補正書】
【提出日】平成14年6月24日(2002.6.24)
【手続補正１】
【補正対象書類名】明細書
【補正対象項目名】特許請求の範囲
【補正方法】変更
【補正の内容】
【特許請求の範囲】
【請求項１】
実質的に乾燥したクレンジング製品であって、
（ｉ）水不溶性支持体；
（ｉｉ）起泡性界面活性剤；
（ｉｉｉ）ヘキシレンジオールであるＣ５〜Ｃ１２アルキルジオール
を含み、前記ジオールと全起泡性界面活性剤が１：１から１：８の重量比で存在する、実質的に乾燥したクレンジング製品。
【請求項２】
アルキルジオールの全界面活性剤に対する比率が、重量で、１：２から１：６の範囲である、請求項１に記載の製品。
【請求項３】
アルキルジオールおよび水が、３：１から１：５の範囲である全起泡性界面活性剤に対する混合重量を有する、前記請求項のいずれかに記載の製品。
【請求項４】
起泡性界面活性剤が、水不溶性支持体上に付着させる全含浸組成物の０．５から４０重量％の量で存在する、前記請求項のいずれかに記載の製品。
【請求項５】
アルキルジオールの量が、含浸組成物の２から４０重量％の範囲である、請求項４に記載の製品。
【請求項６】
水不溶性支持体が、不織、織、水流交絡および空気交絡支持体から選択されるシートである、前記請求項のいずれかに記載の製品。
【国際調査報告】
2004501089.tif 000038
2004501089.tif 000039